(57)【特許請求の範囲】
【請求項１】
観察者の毛様体筋が弛緩することを誘発するために、任意画像で構成される視標を、両眼に対応させて分離して提示する提示部と、
前記視標を見るための前記観察者の視角が２０００秒から３０００秒までの範囲内の何れかの視角となるように両眼分離画像の視差量を調整する部と、
を有し、
前記視差量の両眼分離画像を、前記指標として前記提示部に提示することを特徴とする毛様体筋弛緩器具。
【請求項２】
前記提示部は、複数の両眼分離画像のうちから何れかの選択された両眼分離画像を提示するものであり、
各両眼分離画像が、２０００秒から３０００秒までの範囲内の視角のうちそれぞれ異なる視角によって前記観察者に観察される視差量となっていることを特徴とする請求項１に記載の毛様体筋弛緩器具。
【請求項３】
２０００秒から３０００秒までの範囲内で連続的に当該両眼分離画像を見るための視角を変化させるように前記両眼分離画像の視差量を変化させる画像操作部を備え、
前記画像操作部によって、特定の視差量の両眼分離画像を設定可能とすることを特徴とする請求項１に記載の毛様体筋弛緩器具。
【請求項４】
前記画像操作部は、観察者の眼位ずれ量に応じて前記両眼分離画像の視差量を変化させる補正部を備え、該補正部によって、当該観察者が視標を見るための実質的な視角を２０００秒から３０００秒までの範囲内の何れかの視角とすることを特徴とする請求項３に記載の毛様体筋弛緩器具。
【請求項５】
前記提示部に、前記両眼分離画像を投影する手段を備えたことを特徴とする請求項１乃至請求項４の何れか一項に記載の毛様体筋弛緩器具。
【発明の詳細な説明】
【技術分野】
【０００１】
本発明は、毛様体筋の弛緩を誘発する毛様体筋弛緩器具に関する。
【背景技術】
【０００２】
従来より、観察者の右眼と左眼のそれぞれで異なる画像を視認させる両眼視画像を利用した眼科検査として、図１３に示すような器具を利用したステレオテストがある。この眼科検査では、右眼用フィルタと左眼用フィルタとで異なる色のめがね１０００を装着させて両眼分離画像を見させて、立体視機能の有無の判別検査、立体視機能の能力測定を行っている。
【０００３】
立体視機能の判別検査では、観察者が両眼分離画像を見るための視角として３６００秒の視差をつけた立体画像１００１を観察させ、両眼分離画像１００１が立体的に見えるかを判断させる。観察者が見るための視角として３６００秒の視差をつけた立体画像を用いるのは、健常者であれば確実に立体であると判別できることによる。
【０００４】
また、立体視機能の能力測定では、観察者が両眼分離画像１００２を見るための視角として４０秒から８００秒の視差をつけた立体映像を観察させ、立体を識別できる最小視差を測定する。観察者が見るための視角として４０秒〜８００秒の視差をつけた立体画像を用いるのは、どの位まで細やかな立体を認識できるかを測定するためである。
【０００５】
更に、画像の視差を利用した技術としては、下記の特許文献１に示すような眼精疲労等回復ディスプレイ装置がある。この眼精疲労等回復ディスプレイ装置は、立体画像による視標の移動に伴う輻輳調節と画像の主観的遠近感とによって、毛様体筋の弛緩又は緊張を誘発させている。具体的には、映像として表示させている視標を移動させることによって、当該視標を見るための視差量を変化させる。これにより、観察者の毛様体筋の緊張を誘発させた後、この緊張状態から通常の状態に戻させ、ストレッチを模した動きを誘発させている。
【特許文献１】特開２００３−３２５６０５号公報
【発明の開示】
【発明が解決しようとする課題】
【０００６】
しかしながら、上述したディスプレイ装置においては、上記特許文献１の図３等に開示されているように、毛様体筋を通常の状態から強制的に緊張させていたので、実際には緊張状態から通常状態に弛緩する動きを誘発しているにすぎず、単に毛様体筋を通常状態と緊張状態との間で変化させるものであった。
【０００７】
そこで、本発明は、上述した実情に鑑みて提案されたものであり、より簡単な構成によって毛様体筋を弛緩させることを誘発することができる毛様体筋弛緩器具を提供することを目的とする。
【課題を解決するための手段】
【０００８】
本願の発明者は、研究の結果、両眼分離画像を見るための観察者の視角が２０００秒〜３０００秒の範囲となると、それ以外の視角で両眼分離画像を見る時よりも観察者も毛様体筋が弛緩することを見いだした。そこで、本発明は、そのような見知から得られたものであり、上述の課題を解決するために、観察者の毛様体筋が弛緩することを誘発するために、任意画像で構成される視標を、両眼に対応させて分離して提示する提示部と、前記視標を見るための前記観察者の視角が２０００秒から３０００秒までの範囲内の何れかの視角となるように両眼分離画像の視差量を調整する部と、を有し、前記視差量の両眼分離画像を、前記指標として前記提示部に提示することを特徴とするものである。
【発明の効果】
【０００９】
本発明によれば、２０００秒〜３０００秒の範囲内の何れかの視角とする視差量の両眼分離画像を視標として提示するので、より簡単な構成によって毛様体筋の弛緩を誘発させて、観察者の眼精疲労等に利用することができる。
【発明を実施するための最良の形態】
【００１０】
以下、本発明の実施の形態について図面を参照して説明する。
【００１１】
本発明を適用した毛様体筋弛緩器具は、観察者に画像を視認させることによって、観察者の毛様体筋を通常の状態から弛緩させることを誘発するものである。
【００１２】
眼の構造は、図１に示すように、水晶体に対して毛様体筋が圧をかけることにより、当該水晶体の厚さを調整するようになっている。水晶体は眼内における透明な凸レンズ部分に相当し、水晶体に入ってきた光のピントを調整して網膜に映し出す。この光のピント調整は、毛様体筋が水晶体の厚さを調整して行われ、観察者は、遠方と近方の視力を調節している。近視状態では、毛様体筋が緊張して水晶体が厚くなり、遠視状態では、毛様体筋は弛緩して水晶体は元の厚さに戻ることとなる。
【００１３】
また、観察者は、左眼と右眼とで見ることができる画像を分離させた両眼分離画像を見る場合には、図２に示すような視角で両眼分離画像を見ることとなる。この視角は、観察者の左眼位置と右眼位置とを結んだ線分の中心点を視点位置とし、当該視点位置と左眼用映像とを結ぶ線分と当該視点位置と右眼用映像とを結ぶ線分とのなす角度である。視機能検査などでは、より細やかな視角を扱うこととなるので、この視角の１°を６０分として表し、この６０分を３６００秒と表して、視角の調整を行う。したがって、本発明を適用した毛様体筋弛緩器具は、後述する特定範囲での左眼用画像と右眼用画像との間隔である視差量とすることによって、当該左眼用画像と右眼用画像からなる両眼分離画像を見るための視角［秒］を特定範囲とすることができる。
【００１４】
本発明を適用した毛様体筋弛緩器具は、本願の発明者の研究によって得た、図３、図４に示す「立体映像観察時における観察者の水晶体の調節反応を測定した結果、視角が２０００秒〜３０００秒の範囲となる視差量の映像を見たときに、他の視角で映像を見たときよりも毛様体筋が弛緩することが確認された。」という視機能の性質を利用したものである。図３に示す視角［秒］と毛様体筋の調節度合い（Ｄ）との関係は、観察者に立体映像を注視させた時の右眼の毛様体筋、水晶体の変化を示し、図４に示す視角［秒］と毛様体筋の調節度合い（Ｄ）との関係は、観察者に立体映像を注視させた時の左眼の毛様体筋、水晶体の変化を示している。
【００１５】
ここで、毛様体筋は、近方の物体を注視した時には調節緊張し、水晶体の厚さを厚くなる方向に変形させる。一方、毛様体筋は、遠方の物体を注視した時には調節弛緩し、結果として水晶体の厚さを薄くさせる。また、観察者が立体映像を注視した場合、図３及び図４に示すように、視角が２０００秒〜３０００秒の範囲（ａ−ａ’）で両眼視差（交叉性視差）として認識されて立体視をした時の毛様体筋の弛緩度合いが、視差が０の立体感が得られていない時の毛様体筋の弛緩度合いよりも、著しく高くなる。すなわち、２０００秒〜３０００秒の視角で立体感を感じさせているにも拘わらず、あたかも遠方を見ているかのように毛様体筋を弛緩する。
【００１６】
このような毛様体筋の変化に基づき、本発明を適用した毛様体筋弛緩器具は、視標を見るための観察者の視角が２０００秒から３０００秒までの範囲内となると、それ以外の視角で視標を見るときよりも毛様体筋の弛緩度合いが大きくなることを利用して、当該毛様体筋の弛緩を誘発することを特徴とする。
【００１７】
両眼分離画像を提示して立体画像を提示する方式としては、アナグリフ方式、偏光方式、時分割方式などが存在する。このうち、図５に、本発明を適用した毛様体筋弛緩器具として、アナグリフ方式を用いた提示部１の構成を示す。アナグリフ方式とは、観察者の左眼、右眼にそれぞれ左眼用フィルタ（赤色）２Ｌと右眼用フィルタ（青色）２Ｒとを有するフィルタメガネ２を装着させ、白い紙などの提示部１上に描いた左眼用画像（青色）１０２、右眼用画像（赤色）１０３からなる両眼分離画像を見させるものである。なお、この両眼分離画像１０２，１０３は、静止画像であり、その間隔や大きさは変化しないものとし、提示部１における表示位置の移動（並進、回転）しないものとする。
【００１８】
また、左眼用フィルタ（赤色）２Ｌ及び右眼用フィルタ（青色）２Ｒは、提示部１上にて重複した部分の形状も観察者に知覚させるために、半透明の色で構成する必要がある。この重複部分は、例えば、セロファンを所定の視標形状に切り抜いて、白い紙の上に配置することで重なった部分の形状も知覚させることができる。なお、この色の組み合わせ例に限らず、左眼、右眼のフィルタは赤と緑、赤とシアンなどの他の組み合わせでも良い。
【００１９】
このような構成により、両眼分離画像１０２，１０３を観察者に観察させることにより、両眼分離を実現し、観察者に対して立体画像１０１を提示することができる。すなわち、赤色の右眼用画像１０３は青色フィルタ２Ｒを介してしか見えず、青色の両眼分離画像１０２，１０３は赤色フィルタ２Ｌを介してしか見えないため、立体画像１０１として認識させることができる。
【００２０】
したがって、この毛様体筋弛緩器具によれば、青色フィルタ２Ｒを介して右眼用画像１０３を見る視線３Ｒと、赤色フィルタ２Ｌを介して右眼用画像１０３を見る視線３Ｌとが交差する立体画像１０１上の点１０１ａにて、当該視線３Ｌと視線３Ｒとのなす角度が、観察者の視角となる。したがって、この視角が、２０００秒〜３０００秒の何れかとなるように、提示部１上で左眼用画像１０２と右眼用画像１０３との間隔が調整されていることによって、観察者の毛様体筋の弛緩を誘発できる。
【００２１】
ここで、観察者の視角とは、当該観察者の視点位置と両眼分離画像１０２，１０３とを結ぶ左眼視線３Ｌ、右眼視線３Ｒとのなす角度で構成される角度で表される。このため、毛様体筋弛緩器具を用いるためには、提示部１に対する視点位置を限定する必要がある。この提示部１に対する視点位置は、通常の本を読むときの観察者の視点位置と本との間の距離を想定して、提示部１から４０ｃｍ離れた位置に視点位置を設定する。この場合、両眼分離画像１０２，１０３を見たときの観察者の視角が２０００秒〜３０００秒となる両眼分離画像１０２，１０３の視差量とは、白い紙の提示部１上に描画される両眼分離画像１０２，１０３間の距離で換算すると、約１５．５ｍｍ〜２３．３ｍｍとなる。
【００２２】
この提示部１と視点位置との距離Ｄに対する、両眼分離画像１０２，１０３間の距離Ｓは、下記の式１のようになる。
【００２３】
Ｓ＝２×Ｄ×ｔａｎ（θ／２）
ここで、上記式中のθは視角（°）である。したがって、提示部１と視点位置との距離Ｄを変更させたい場合には、視角θを２０００秒〜３０００秒の何れかの角度とし、両眼分離画像１０２，１０３間の距離Ｓを変化させる。これにより、任意の提示部１と視点位置との距離Ｄから両眼分離画像１０２，１０３を見させる場合でも、両眼分離画像１０２，１０３間の距離Ｓを調整して、２０００秒〜３０００秒の何れかの視角θで両眼分離画像１０２，１０３を見させることができる。
【００２４】
なお、両眼分離画像１０２，１０３で表される視標は、図５に示したようなひし形、丸や十字形状などの単純形状でもよく、観察者が知覚可能な大きさがあればよい。なお、図５に示した例では、両眼分離画像１０２，１０３として、大きさが５°の視角で視認されるひし形形状を採用している。
【００２５】
また、視標は、図６に示すような顔や、クマ、車といった絵柄でもよい。ただし、両眼分離画像１０２，１０３は、左眼用画像１０２と右眼用画像１０３とは、両眼分離画像を融像できる形状が望ましいため、同一形状であることが望ましい。
【００２６】
以上説明したように、本発明を適用した毛様体筋弛緩器具は、観察者の毛様体筋が弛緩することを誘発するために、任意画像で構成される視標を、両眼に対応させて分離して提示する提示部１を有する。そして、毛様体筋弛緩器具は、提示部１によって、視標を見るための観察者の視角を２０００秒から３０００秒までの範囲内の何れかの視角とする視差量の両眼分離画像を、視標として提示することができる。したがって、この毛様体筋弛緩器具によれば、提示部１に描いた両眼分離画像１０２，１０３を観察させるだけで、観察者の毛様体筋の弛緩を誘発することができる。したがって、この毛様体筋弛緩器具によれば、観察者にフィルタメガネ２を装着させて通常の姿勢で提示部１上の両眼分離画像１０２，１０３を見させるだけで、眼精疲労などの回復といった効果を得ることができる。
【００２７】
また、この毛様体筋弛緩器具によれば、両眼分離画像１０２，１０３を２０００秒〜３０００秒の何れかの視角で視認させるための構成として、提示部１とフィルタメガネ２とからなるようなアナグリフ方式のような簡素な構成とすることができる。したがって、その構成が大掛かりになることはない。
【００２８】
つぎに、上述したように観察者の毛様体筋の弛緩を誘発できる他の毛様体筋弛緩器具の構成について説明する。
【００２９】
図７に示す毛様体筋弛緩器具は、複数の提示部１Ａ，１Ｂ，１Ｃ，１Ｄである用紙のそれぞれに、両眼分離画像１０２，１０３を描いて冊子１０を構成している。提示部１Ａ，１Ｂ，１Ｃ，１Ｄのそれぞれに描かれた各両眼分離画像１０２，１０３は、２０００秒から３０００秒までの範囲内の視角のうちそれぞれ異なる視角によって観察者に観察されるように、両眼分離画像１０２，１０３間の間隔が調整されている。
【００３０】
各両眼分離画像１０２，１０３の視差量の変化量は、特に限定はしないが、視角を１秒ずつ変化させた１００１パターンの両眼分離画像１０２，１０３を作成してもよく、１００秒ずつ変化させた１１パターンの両眼分離画像１０２，１０３を作成してもよい。
【００３１】
そして、冊子１０を構成する提示部１Ａ，１Ｂ，１Ｃ，１Ｄのうちから、観察者によって複数の両眼分離画像１０２，１０３のうちから何れかの選択された両眼分離画像１０２，１０３を提示することができる。具体的には、異なる視差量の両眼分離画像１０２，１０３を複数のページに記載し、特定の視差量の両眼分離画像１０２，１０３を提示したい場合は、対応するページを開けばよいこととなる。
【００３２】
なお、図７に示した例では、各両眼分離画像１０２，１０３が同一の形状であったが、図８に示すように、各両眼分離画像１０２，１０３の視差量ごとに異なる形状としても良く、顔やクマ、車といった絵柄でもよい。ただし、両眼分離画像１０２，１０３は、左眼用画像１０２と右眼用画像１０３とは、両眼分離画像を融像できる形状が望ましいため、同一形状であることが望ましい。
【００３３】
このような毛様体筋弛緩器具によれば、観察者が見るための視角が異なる視差量となっている両眼分離画像１０２，１０３を複数用意しておき、選択させることができる。これにより、毛様体筋の弛緩効果が最大に発揮される両眼分離画像１０２，１０３の視差量には個人差があるが、予め設定された複数の異なる視差量の両眼分離画像１０２，１０３のうち、特定のものを選択できる機能を有するようにした。これにより、観察者にとって適した視差量の両眼分離画像１０２，１０３を見させることによって、２０００秒〜３０００秒の範囲内であっても観察者にとって最も効果が高い視角で両眼分離画像１０２，１０３を見て毛様体筋の弛緩効果を与えることができる。
【００３４】
また、複数の異なる視差量の両眼分離画像１０２，１０３を順次に見させている時に、観察者の水晶体の厚みを視機能検査機器で測定して、最も毛様体筋の弛緩効果が現れた両眼分離画像１０２，１０３を求めるようにしても良い。これにより、観察者ごとに最も毛様体筋の弛緩効果が得られる両眼分離画像１０２，１０３の視差量が異なっても、各観察者に対して最も毛様体筋の弛緩効果が得られる両眼分離画像１０２，１０３を見させることができる。また、観察者の視機能の回復又は衰えにより、最も毛様体筋の弛緩効果が発揮される両眼分離画像１０２，１０３の視差量に変化がある。これに対し、観察者にとって最も毛様体筋の弛緩効果が得られる両眼分離画像１０２，１０３を測定すれば、観察者にとって最も毛様体筋の弛緩効果が得られるように両眼分離画像１０２，１０３を更新して、見させることができる。
【００３５】
更に、図８に示したように、各両眼分離画像１０２，１０３で異なる絵柄とすることによって、幼児が毛様体筋弛緩器具を使用する場合に、当該幼児に適した視差量付近の両眼分離画像１０２，１０３の絵柄を日毎に変えることができ、検査などを飽きさせることなく行わせ、検査などに対する集中力を持続させることができる。
【００３６】
図９には、他の毛様体筋弛緩器具として、２０００秒から３０００秒までの範囲内で連続的に両眼分離画像１０２，１０３を見るための視角を変化させるように当該両眼分離画像１０２，１０３を変化させる画像操作部４，５を備える構成を示す。そして、この毛様体筋弛緩器具は、当該画像操作部４，５の操作によって、特定の視差量の両眼分離画像１０２，１０３を設定可能とする。
【００３７】
具体的には、画像操作部４，５は、当該画像操作部４，５を操作させることにより、図９（ａ）のよう左眼用画像１０２と右眼用画像１０３との位置関係から、図９（ｂ）に示すように左眼用画像１０２’を移動させ、更に図９（ｃ）に示すように左眼用画像１０２’’を連続的に移動させることができる。これにより、左眼用画像１０２と右眼用画像１０３との位置関係を変化させる。
【００３８】
画像操作部４，５は、図９（ｄ）に示すように、操作者（観察者）に両眼分離画像１０２，１０３を見るのに必要な視角を提示する視角提示部４と、両眼分離画像１０２，１０３を見るために必要な視角を変化させる操作部５とからなる。操作部５は、所定の可動幅Ｗの範囲で左眼用画像１０２をスライド可能となっている。また、視角提示部４は、当該視角提示部４の左端部が２０００秒の視角を示し、当該視角提示部４の右端部が３０００秒の視角を示す目盛４ａ，４ｂが描かれている。
【００３９】
そして、操作者（観察者）は操作部５の目盛５ａと視角提示部４の目盛４ａ，４ｂとから現在の視差量を見て操作部５をスライド操作する。これによって、左眼用画像１０２と右眼用画像１０３との位置関係を任意に設定して、所望の視角で両眼分離画像１０２，１０３を見ることができる。
【００４０】
このような毛様体筋弛緩器具によれば、２０００秒〜３０００秒という観察者の毛様体筋の弛緩を促すことができる範囲で左眼用画像１０２と右眼用画像１０３との位置関係に基づく視差量を連続的に変化させることができる。したがって、この毛様体筋弛緩器具によれば、観察者にとって最も毛様体筋の弛緩効果を得られる視角を連続的に選択させることができる。
【００４１】
また、この毛様体筋弛緩器具によれば、図５，６に示した毛様体筋弛緩器具では２０００秒〜３０００秒のうちの単一の視角でしか両眼分離画像１０２，１０３を見ることができず、図７，８に示した毛様体筋弛緩器具では２０００秒〜３０００秒のうち段階的に変化させた視角でした両眼分離画像１０２，１０３を見ることができなかった。これに対し、図９に示した毛様体筋弛緩器具によれば、左眼用画像１０２と右眼用画像１０３との位置関係を連続的に変化させて、２０００秒〜３０００秒の範囲で視角を連続的に変化させて両眼分離画像１０２，１０３を見させることができる。
【００４２】
なお、この毛様体筋弛緩器具は、視角を２０００秒から３０００秒という細かい距離範囲で両眼分離画像１０２，１０３を動かすため、操作者（観察者）によっては視角提示部４の両端間で操作部５を動かす距離が短くなるおそれがある。そこで、操作部５に対する大きな動作を、両眼分離画像１０２，１０３の小さい移動に変換する機能を設けることが望ましい。
【００４３】
具体的には、図１１に示すように、操作者（観察者）の所定範囲Ｗの回転動作を左眼用画像１０２のスライド動作に変換する機構を設けている。このような毛様体筋弛緩器具の操作部５は、左眼用画像１０２に接続されたスライド軸５ａと、支点５ｂを中心として回転操作がされる回転レバー５ｃとを有する。提示部１には、回転レバー５ｃを回転動作させる規制となる案内溝６が設けられている。この案内溝６は、回転レバー５ｃと図示しない貫通軸によって接続されている。また、回転レバー５ｃには、当該回転レバー５ｃの回転操作をスライド軸５ａのスライド動作に変換するために、図１０（ｄ）に示すように、溝部５ｅが設けられると共に、スライド軸５ａと接続され回転レバー５ｃの回転操作時に当該溝部５ｅ内で往復移動可能する接続軸５ｄが設けられる。
【００４４】
このような構成により、毛様体筋弛緩器具は、回転レバー５ｃのＡ方向の回転操作を、Ｂ方向の並進動作に変換して、スライド軸５ａを介して左眼用画像１０２をスライド動作させることができる。したがって、この毛様体筋弛緩器具によれば、図９に示した可動幅Ｗよりも長い距離の範囲Ｗで操作をさせて、図１０（ａ）のよう左眼用画像１０２と右眼用画像１０３との位置関係から、図１０（ｂ）に示すように左眼用画像１０２’を移動させ、更に図１０（ｃ）に示すように左眼用画像１０２’’を連続的に移動させることができる。
【００４５】
つぎに、上述した毛様体筋弛緩器具において、観察者の眼位ずれ量に応じて両眼分離画像１０２，１０３の視差量を変化させる構成について、図１１を参照して説明する。なお、図１１では、図９のような操作部５をスライド操作させて左眼用画像１０２をスライド動作させる構成を示しているが、図１０のように回転操作を左眼用画像１０２のスライド動作に変換する構成を採用しても良い。
【００４６】
この毛様体筋弛緩器具は、画像操作部４，５が、観察者の眼位ずれ量に応じて両眼分離画像１０２，１０３の視差量を変化させ、当該観察者が両眼分離画像１０２，１０３を見るための実質的な視角を２０００秒から３０００秒までの範囲内の何れかの視角とすることを特徴とするものである。これにより毛様体筋弛緩器具は、眼位ずれ量を両眼分離画像１０２，１０３の視差量に反映させて、観察者の視機能による両眼分離画像１０２，１０３の視差量に対する認識の個人差を軽減する。
【００４７】
観察者の眼位ずれとは、左眼、右眼に異なる画像を提示し、各画像を中心位置で重ね合わせる作業を行ったときの位置ずれを指す。眼位ずれがない正常な場合であれば、左右の異なる画像を中心位置で重ね合わせることができる。眼位ずれがあり異常である場合、本人は中心位置で重なり合っていると認識しているものの、実際には左右の映像が中心位置で重なっておらず、左右の映像間に距離（位置ずれ）が発生する。そして、この位置ずれが観察者の眼位ずれであり、当該眼位ずれがあると、両眼分離画像１０２，１０３の視差量に対する認識に個人差が発生する。
【００４８】
したがって、この毛様体筋弛緩器具は、観察者の眼位ずれ量を両眼分離画像１０２，１０３の視差量に加える補正機構７を備えている。具体的には、補正機構７は、図１１（ｄ）に示すように、提示部１にガイド溝７ａを設け、当該ガイド溝７ａに対し、貫通軸７ｂが操作部５が接続されるようにする。また、補正機構７は、操作部５がガイド溝７ａに沿ってスライド操作させる時に、当該操作部５の位置に対して視角提示部４の目盛４ａ，４ｂの支持位置を補正する指示矢印７ｃが取り付けられている。この指示矢印７ｃは、操作部５のスライド操作と共にスライドして移動するようになっている。この視角提示部４に対する操作部５の位置と、補正機構７の位置のとのスライド方向における差は、観察者の眼位ずれ量となっている。したがって、観察者の眼位ずれ量に応じて操作部５と補正機構７の指示矢印７ｃとの位置を調整する。なお、図１１（ｄ）に示す補正機構７は、上述した視角提示部４及び操作部５（画像操作部４，５）に追加した構成であるために別個に説明しているが、当該視角提示部４及び操作部５と一体に構成された画像操作部４，５，７として機能するものである。
【００４９】
したがって、この毛様体筋弛緩器具によれば、観察者に眼位ずれがある場合でも、当該観察者個々の眼位ずれの量に応じて操作部５と補正機構７の指示矢印７ｃとの距離を調整することができ、図１１（ａ）〜（ｃ）のように実質的に２０００秒〜３０００秒の間の視角で両眼分離画像１０２，１０３を見させることができる。
【００５０】
また、本発明を適用した毛様体筋弛緩器具は、用紙などの提示部１に両眼分離画像１０２，１０３を描いたものを観察者に所定の視角で観察させるものであったが、図１２に示すようにシルバー塗装された平面スクリーン３０に対して、直線偏光または円偏光で分離された両眼分離画像１０２，１０３の映像を表示させるものであっても良い。
【００５１】
図１２の構成は、平面スクリーン３０に両眼分離画像１０２，１０３の映像を表示させるために、映像制御装置２０から、観察者の左右の眼に対応した２台のプロジェクタ４０Ｒ、４０Ｌに左眼用映像信号、右眼用映像信号を供給する。そして、プロジェクタ４０Ｒ、４０Ｌは、それぞれ、左眼用映像光、右眼用映像光を平面スクリーン３０に対して投影する。
【００５２】
なお、このような構成を採用する場合、偏光メガネ（不図示）を装着した観察者は、平面スクリーン３０に対して所定の視点位置とする必要がある。また、プロジェクタ４０Ｒ、４０Ｌからそれぞれ異なる偏光方向の映像光を出射する場合には、プロジェクタ４０Ｒ、４０Ｌの出射口にそれぞれ異なる偏光方向のフィルタを取り付ける。これに対し、フィルタメガネ２は、左右で異なる偏光方向のフィルタが取り付けられているものとする。
【００５３】
映像制御装置２０は、プロジェクタ４０Ｒ、４０Ｌと接続されたインターフェース２１，表示制御部２２，ハードディスク装置などからなる映像記憶部２３及び操作部２４を備える。
【００５４】
映像記憶部２３には、上述したひし形や丸形、顔などの各種絵柄の両眼分離画像１０２，１０３が記憶されている。なお、映像記憶部２３には、各種の色の組み合わせで両眼分離画像１０２，１０３を記憶していても良いが、表示制御部２２で両眼分離画像１０２，１０３の色加工をする場合には、記憶している必要はない。
【００５５】
操作部２４は、上述したように操作者（観察者）が操作部５を操作することと同様に、平面スクリーン３０に表示させている両眼分離画像１０２，１０３を調整する場合に操作される。この操作部２４は、キーボードやポインティングデバイスなどからなるものでも良いが、図９に示したスライド機構を模したものであっても良く、図１０に示した回転レバー状のものであっても良い。
【００５６】
表示制御部２２は、映像記憶部２３に記憶された両眼分離画像１０２，１０３を加工して、インターフェース２１を介してプロジェクタ４０Ｒ、４０Ｌに出力する制御を行う。表示制御部２２は、上述したように両眼分離画像１０２，１０３の間隔を調整して、観察者が両眼分離画像１０２，１０３を見るための視角を調整する操作が操作部２４に対してなされた場合に、両眼分離画像１０２，１０３間の間隔を変更する映像加工処理を行う。このとき、表示制御部２２は、所定の観察者の視点位置から両眼分離画像１０２，１０３を見たときの視角を２０００秒〜３０００秒の何れかとするように両眼分離画像１０２，１０３の視差量を調整する。このように両眼分離画像１０２，１０３の視差量が調整された映像をプロジェクタ４０Ｒ、４０Ｌにより投影し、両眼分離画像１０２，１０３を平面スクリーン３０に表示させることができる。
【００５７】
なお、このような構成にかぎらず、両眼分離画像１０２，１０３を提示できる立体映像提示システムであれば、どのような構成を採用してもよい。両眼分離方式の現行技術としては、アナグリフ方式、偏光方式、時分割方式等が存在し、映像表示方式としては、ＨＭＤ（ヘッド・マウント・ディスプレイ）方式、ディスプレイ方式、プロジェクション方式等が存在するが、任意の技術を用いて良い。
【００５８】
このような構成を採用することにより、任意の形状や絵柄を選択して両眼分離画像１０２，１０３を提示し、両眼分離画像１０２，１０３を見るときの視角を２０００秒〜３０００秒の何れかとするように両眼分離画像１０２，１０３の視差量を映像制御装置２０で調整できる。
【００５９】
また、映像制御装置２０は、自動的に、両眼分離画像１０２，１０３の視差量を段階的に順次増減させることもでき、連続的に増減させることもできる。
【００６０】
更に、予め操作部２４によって観察者の眼位ずれ量を入力することにより、映像制御装置２０によって、当該眼位ずれ量に応じて両眼分離画像１０２，１０３を自動算出して、適切な視差量の両眼分離画像１０２，１０３を表示することができる。
【００６１】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００６２】
【図１】眼の構造を示す図である。
【図２】両眼分離画像を見るときの視角について説明する図である。
【図３】立体を見る視角と右眼の毛様体筋の弛緩・緊張状態との関係を示す図である。
【図４】立体を見る視角と左眼の毛様体筋の弛緩・緊張状態との関係を示す図である。
【図５】本発明を適用した毛様体筋弛緩器具に両眼分離画像を提示し、当該両眼分離画像を観察者が見るときの様子を説明する図である。
【図６】本発明を適用した毛様体筋弛緩器具に両眼分離画像を提示し、当該両眼分離画像を観察者が見るときの様子を説明する他の図である。
【図７】複数の両眼分離画像を描いた提示部を冊子にして、段階的に視差量が異なる両眼分離画像を観察者に見させることについて説明する図である。
【図８】複数の両眼分離画像を描いた提示部を冊子にして、段階的に視差量が異なる両眼分離画像を観察者に見させることについて説明する他の図である。
【図９】観察者の操作によって、両眼分離画像の視差量を変化させることができる構成を示す図である。
【図１０】観察者の操作によって、両眼分離画像の視差量を変化させることができる他の構成を示す図である。
【図１１】観察者の眼位ずれ量に応じて両眼分離画像の視差量を変化させることができる構成を示す図である。
【図１２】平面スクリーンに両眼分離画像を表示させる構成を示す図である。
【図１３】従来において行われていたステレオテストを説明する図である。
【符号の説明】
【００６３】
１  提示部
２  フィルタメガネ
２Ｌ  赤色フィルタ
２Ｒ  青色フィルタ
３Ｌ  左眼視線
３Ｒ  右眼視線
４，５  画像操作部
４  視角提示部
５  操作部
６  案内溝
７  補正機構
１０  冊子
２０  映像制御装置
２１  インターフェース
２２  表示制御部
２３  映像記憶部
２４  操作部
３０  平面スクリーン
４０  プロジェクタ
１０１  立体画像
１０２，１０３  両眼分離画像
【図１】
0005207237.tif 000002
【図２】
0005207237.tif 000003
【図３】
0005207237.tif 000004
【図４】
0005207237.tif 000005
【図５】
0005207237.tif 000006
【図６】
0005207237.tif 000007
【図７】
0005207237.tif 000008
【図８】
0005207237.tif 000009
【図９】
0005207237.tif 000010
【図１０】
0005207237.tif 000011
【図１１】
0005207237.tif 000012
【図１２】
0005207237.tif 000013
【図１３】
0005207237.tif 000014